(57)【要約】  基部（１２）およびこの基部（１２）に対して回動可能に取り付けられたフレーム（１８）を備えるケトル（１０）。フレーム（１８）は、電源に接続可能な第１の電気接点を備え、容器（１６）は、フレーム（１８）に収容可能であり、かつフレーム（１８）から取り外し可能である。容器（１６）は、第２の電気接点に接続された内部要素（６０）、および液体を注ぐことができる開口（４０）を備えている。容器（１６）がフレーム（１８）内に収容されると、第１の電気接点が、第２の電気接点に接続され、これにより、電力が内部要素（６０）に供給されて容器（１６）内の水が加熱される。容器（１６）およびフレーム（１８）の基部（１２）に対する回動により、液体を開口から注ぐことが可能となる。【選択図】      図１
2014525294.tif 000002
【特許請求の範囲】
【請求項１】
ケトルであって、
基部と、
前記基部に対して回動可能に取り付けられたフレームであって、電源に接続可能な第１の電気接点を備える、フレームと、
前記フレームに収容可能であり、かつ前記フレームから取り外し可能である容器であって、第２の電気接点に接続された内部要素を備える、容器と、
液体を注ぐことができる前記容器の開口と、を備え、
前記容器が前記フレーム内に収容されると、前記第１の電気接点が前記第２の電気接点に接続され、これにより、電力が前記内部要素に供給されて前記容器内の水が加熱され、前記容器および前記フレームの前記基部に対する回動により、液体を前記開口から注ぐことができる、ケトル。
【請求項２】
前記容器が、前記容器を上方に持ち上げることによって前記フレームから取り外し可能である、請求項１に記載のケトル。
【請求項３】
前記基部が、その下部から上方に延びた一対の支持部材を備え、前記支持部材が、前記フレームが水平回転軸を中心に前記ベースに対して回動可能となるように前記フレームの両側に係合している、請求項１または２に記載のケトル。
【請求項４】
前記各支持部材が、他方の支持部材に隣接したその側面に凹部を備え、前記フレームが、その両側に一対の円柱突出部を備え、前記円柱突出部が、前記支持部材の前記凹部内に収容される、請求項３に記載のケトル。
【請求項５】
前記各円柱突出部は、前記凹部内の突起とスナップ式に係合して前記円柱突出部を前記凹部内に維持する周辺リムを備え、これにより、前記円柱突出部が前記凹部内で回動可能である、請求項４に記載のケトル。
【請求項６】
前記容器の側面が、前記フレームの対向した内面に設けられたスロットに下方に移動して収容される突起を備え、これにより、前記容器を下方に移動させて前記フレーム内に挿入することができる、請求項３〜５のいずれか１項に記載のケトル。
【請求項７】
前記スロットが、前記突起が前記スロット内に収容されたときに前記突起が概ね前記回転軸上に位置するように前記フレームに配置されている、請求項６に記載のケトル。
【請求項８】
前記容器が、加熱のために水が入れられる内部室を画定する湾曲壁を備え、前記フレームが、前記容器の一部が前記フレーム内に収容されるように前記容器の下半分の形状に相補的な形状に構成されている、請求項７に記載のケトル。
【請求項９】
前記湾曲壁の形状が、一般に、概ね前記回転軸に位置する中心対称軸を有する偏球面である、請求項８に記載のケトル。
【請求項１０】
前記基部の前記下部が、一般に、水平面に支持される下縁を有するドーム型部材を備え、前記支持部材が、前記下部から上方に延び、それぞれが湾曲壁部材を備える、請求項３〜９のいずれか１項に記載のケトル。
【請求項１１】
前記下縁が、前記開口の下に切り取り部を備え、これにより、前記下縁が、前記基部が支持されている表面の上に位置して、受け皿の縁を収容できる開口を画定している、請求項１０に記載のケトル。
【請求項１２】
前記開口が、前記容器の中心線に隣接して設けられ、前記中心線が、前記突起間の中間にある回転軸に対して垂直な平面上の前記容器の周りの線である、請求項６〜１１のいずれか１項に記載のケトル。
【請求項１３】
前記開口が注ぎ口を備え、前記容器が前記回転軸を中心に回動したときに、前記注ぎ口が、前記基部に隣接して配置されるマグまたはカップに下向きに湯を注ぐのを容易にする、請求項１２に記載のケトル。
【請求項１４】
前記注ぎ口が、前記中心線の一側に位置する第１の側壁、および前記中心線の反対側に位置する第２の側壁を備え、前記第１の側壁４３と前記第２の側壁４４が、前記開口側の前記中心線で交わり、前記側壁が前記開口の各側に沿って互いに離れる方向に延びるにつれて、高さが低くなっている、請求項１３に記載のケトル。
【請求項１５】
前記容器が、前記注ぎ口とは反対の前記開口の側の前記本体の前記中心線において前記容器から外側に延びたハンドルを備える、請求項１２〜１４のいずれか１項に記載のケトル。
【請求項１６】
前記ハンドルが、前記回転軸から延びた放射状の直線から離れるように湾曲した湾曲形状である、請求項１５に記載のケトル。
【請求項１７】
前記第１の電気接点が、前記フレームの第１の電気ハウジング内に設けられ、前記第２の電気接点が、前記容器の第２の電気ハウジング内に設けられている、請求項１〜１６のいずれか１項に記載のケトル。
【請求項１８】
前記第１の電気ハウジングが、突出部を備え、前記突出部が、前記容器が前記フレーム内に収容されたときに前記突出部が前記第２の電気ハウジングの開口内に収容されて前記第１の電気接点が前記第２の電気接点に接続されるように構成されている、請求項１７に記載のケトル。
【請求項１９】
前記容器が、前記容器内の水位を視認できるように透明窓を備える、請求項１〜１８のいずれか１項に記載のケトル。
【請求項２０】
前記窓が、前記中心線に沿って前記注ぎ口の下に設けられている、請求項１９に記載のケトル。
【発明の詳細な説明】
【技術分野】
【０００１】
本発明はケトルに関する。
【背景技術】
【０００２】
ケトルは、一般に、ケトルを保持して湯を注ぐために使用されるハンドルをその側面または上部に備えている。このようなハンドルの把持は、一部の人、例えば、手関節や指関節のリュウマチ患者では困難であり得る。このため、湯で満たされたケトルを保持して注ぐことが困難な作業となり得る。
【０００３】
本発明は、ケトルから湯を注ぐ作業およびケトルに水を入れる作業を容易にすることを目的として設計が改善されたケトルに関する。
【発明の概要】
【課題を解決するための手段】
【０００４】
本発明の一態様に従ってケトルが提供され、このケトルは、
基部と、
この基部に対して回動可能に取り付けられたフレームであって、電源に接続可能な第１の電気接点を備える、フレームと、
このフレームに収容可能であり、かつフレームから取り外し可能である容器であって、第２の電気接点に接続された内部要素を備える、容器と、
液体を注ぐことができる容器の開口と、を備え、
容器がフレーム内に収容されると、第１の電気接点が第２の電気接点に接続され、これにより、電力が内部要素に供給されて容器内の水が加熱され、容器およびフレームの基部に対する回動により、液体を開口から注ぐことができる。
【０００５】
好ましくは、容器は、この容器を上方に持ち上げることによってフレームから取り外し可能である。好ましくは、基部は、その下部から上方に延びた一対の支持部材を備え、これらの支持部材が、フレームが水平回転軸を中心にベースに対して回転可能となるようにフレームの両側に係合している。
【０００６】
好ましい一実施形態では、各支持部材は、他方の支持部材に隣接したその側面に凹部を備え、フレームは、その両側に一対の円柱突出部を備え、これらの円柱突出部は、支持フレームの凹部内に収容される。
【０００７】
一実施形態では、各円柱突出部は、凹部内の突起とスナップ式に係合して円柱突出部を凹部内に維持する周辺リムを備え、これにより、円柱突出部が凹部内で回動可能とである。
【０００８】
好ましくは、容器の側面は、フレームの対向した内面に設けられたスロットに下方に移動して収容される突起を備え、これにより、容器を下方に移動させてフレーム内に挿入することができる。
【０００９】
スロットは、突起がスロット内に収容されたときに突起が概ね回転軸上に位置するようにフレームに配置することができる。
【００１０】
好ましい一実施形態では、容器は、加熱のために水が入れられる内部室を画定する湾曲壁を備え、フレームは、容器の一部がフレーム内に収容されるように容器の下半分の形状に相補的な形状に構成されている。一実施形態では、湾曲壁の形状は、一般に、概ね回転軸に位置する中心対称軸を有する偏球面である。
【００１１】
好ましくは、基部の下部は、一般に、水平面に支持される下縁を有するドーム型部材を備え、支持部材は、下部から上方に延び、それぞれが湾曲壁部材を備えている。好ましくは、下縁は、開口の下に切り取り部を備え、これにより、下縁が、基部が支持されている表面の上に位置して、受け皿の縁を収容できる開口を画定している。
【００１２】
好ましい一実施形態では、開口は、容器の中心線に隣接して設けられ、この中心線は、突起間の中間にある回転軸に対して垂直な平面上の容器の周りの線である。開口は、好ましくは、注ぎ口を備え、容器が回転軸を中心に回動したときに、注ぎ口が、基部に隣接して配置されるマグまたはカップに下向きに湯を注ぐのを容易にする。
【００１３】
一実施形態では、注ぎ口は、中心線の一側に位置する第１の側壁、および中心線の反対側に位置する第２の側壁を備え、第１の側壁と第２の側壁が、開口側の中心線で交わり、これらの側壁が開口の各側に沿って互いに離れる方向に延びるにつれて、高さが低くなっている。
【００１４】
好ましくは、容器は、注ぎ口とは反対の開口の側の本体の中心線において容器から外側に延びたハンドルを備えている。ハンドルは、好ましくは、回転軸から延びた放射状の直線から離れるように湾曲した湾曲形状である。
【００１５】
好ましい一実施形態では、第１の電気接点は、フレームの第１の電気ハウジング内に設けられ、第２の電気接点は、容器の第２の電気ハウジング内に設けられている。好ましくは、第１の電気ハウジングは、突出部を備え、この突出部は、容器がフレーム内に収容されたときに突出部が第２の電気ハウジングの開口内に収容されて第１の電気接点が第２の電気接点に接続されるように構成されている。
【００１６】
容器は、好ましくは、この容器内の水位を視認できるように透明窓を備えている。この窓は、中心線に沿って注ぎ口の下に設けることができる。
【００１７】
本発明を、添付の図面を参照して、例として以下に説明する。
【図面の簡単な説明】
【００１８】
【図１】図１は、本発明によるケトルの上方からの斜視図である。
【図２】図２は、カップに液体を注ぐために本体が回動した図１のケトルの上方からの斜視図である。
【図３】図３は、図１のケトルの組立分解図である。
【図４】図４は、図１のケトルの容器の組立分解図である。
【図５】図５は、図１のケトルのフレームの組立分解図である。
【図６】図６は、図１のケトルの基部の組立分解図である。
【図７ａ】図７ａは、図１のケトルの側面図である。
【図７ｂ】図７ｂは、図７ａの線Ｃ−Ｃを通るケトルの前断面図である。
【図８ａ】図８ａは、図１のケトルの前面図である。
【図８ｂ】図８ｂは、図８ａの線Ｄ−Ｄを通るケトルの側断面図である。
【発明を実施するための形態】
【００１９】
図面を参照すると、基部１２および本体１４を備えたケトル１０が示されている。本体１４は、容器１６およびフレーム１８を備え、この容器１６は、加熱される水を入れるように構成され、かつフレーム１８内に収容されている。フレーム１８は、基部１２内に収容されている。
【００２０】
基部１２は、表面、例えば、台所用の台の上面に配置するよう構成され、本体１４は、基部１２に固定される。基部１２は、水平面に支持されるように構成された下部２０、およびこの下部２０から上方に延びた一対の支持部材２２を備えている。支持部材２２は、これらの間にケトル１０の本体１４を収容して、この本体１４を支持できるように構成されている。
【００２１】
支持部材２２はそれぞれ、他方の支持部材２２に隣接した側に凹部２４を備えている。ケトル１０のフレーム１８は、その両側に一対の円柱突出部２６を備え、これらの円柱突出部２６が、支持部材２２の凹部２４内に収容される。円柱突出部２６はそれぞれ、周辺リム３６を備えている。リム３６は、凹部２４内の突起３８にスナップ式に係合して、突出部２６を凹部２４内に維持する。円柱突出部２６は、フレーム１８が支持部材２２に対して回動できるように凹部２４内で回動可能である。従って、本体１４は、支持部材２２の凹部２４を通る軸５０を中心に円柱突出部２６に対して回動することができる。本体１４が回動する軸５０は、概ね水平である。
【００２２】
容器１６は、水を加熱するために水が入れられる内部室を確定している湾曲壁を備えている。湾曲壁の形状は、一般に、偏球面である。即ち、容器の対向した側面２８においてやや平坦である球状であり、使用中、この側面２８は支持部材２２に隣接する。この球の中心対称軸は、概ね回転軸５０上に位置する。従って、容器１６は、概ね水平中心軸を中心に回動する。
【００２３】
フレーム１８は、容器１６の一部がフレーム１８内に収容されるように容器１６の下半分の形状に相補的な形状に構成されている。容器１６の側面２８は、突起３０を備え、この突起３０は、フレーム１８の対向した内面に設けられたスロット３２に下方に移動して収容される。スロット３２はそれぞれ、突起３０がスロット３２内に収容されたときに突起３０が本体１４が回動する軸５０に概ね位置するように、フレーム１８の円柱突出部２６の隣接する１つに設けられる。
【００２４】
容器１６は、その下側に一対の突出部３３を備えている。突出部３３は、フレーム１８の下側に設けられた対応する凹部３４内に収容されて、容器１６をフレーム１８に対して位置合わせする。
【００２５】
基部１２の下部２０は、一般に、水平面に支持される下縁３７を有するドーム型部材を備えている。支持部材２２は、下部２０から上方に延びており、それぞれが、湾曲壁部材２３を備えている。湾曲壁部材２３は、フレーム１８の形状に相補的な形状であり、凹部２４は、壁部材２３の中央に位置している。
【００２６】
容器１６は、この容器１６内で加熱された液体を注ぐことができる開口４０を備えている。開口４０は、概ね突起３０間の中間位置において本体１４に設けられている。即ち、開口４０は、容器１６の中心線５２に隣接して設けられ、この中心線５２は、突起３０間の中間にある回転軸５０に対して垂直な平面上の容器の周りの線である。容器１６およびフレーム１８が基部１２に収容されると、開口は、概ね最も上（図１に示されているように）に位置し、ケトル１０は、この位置で作動して容器１６内の水を加熱する。
【００２７】
開口４０はまた、開口４０を取り囲む注ぎ口４２も備えている。注ぎ口４２は、本体１２が円柱突出部２６を中心に回動したときに、注ぎ口４２が、基部１２に隣接して配置されるマグまたはカップに下向きに湯を注ぐのを容易にするように構成されている。注ぎ口４２は、中心線５２の一側に位置する第１の側壁４３、および中心線５２の反対側に位置する第２の側壁４４を備えている。第１の側壁４３と第２の側壁４４は、開口４０側の中心線５２で交わり、側壁４３および４４が開口４０の各側に沿って互いに離れる方向に延びるにつれて、高さが低くなっている。
【００２８】
容器１６は、ハンドル４６も備えている。ハンドル４６は、注ぎ口４２とは反対の開口４０の側の本体１４の中心線５２において容器１６から外側に延びている。ハンドル４６は、回転軸５０から延びた放射状の直線から離れるように湾曲した湾曲形状である。
【００２９】
開口４０はまた、好ましくは、開口４０に対して出入りする水を濾す濾し器部分を有するカバー部材４８を備えている。
【００３０】
基部１２は、この基部１２が支持される表面よりも上に下縁３７が位置するように、注ぎ口４２の下の下縁３７の一部に切り取り部５４を備えている。従って、この切り取り部５４は、受け皿の縁を収容できる開口を備えている（図１に示されている）。これにより、受け皿に支持されているカップをケトル１０に近づけて配置することができる。
【００３１】
また、ケトル１０の容器１６は、容器１６内の水位を視認できるように透明窓５６を備えることができる。この窓５６は、中心線５２に沿って注ぎ口の下側に設けられている。フレーム１８は、容器１６がフレーム１８内にあるときに窓５６を視認できるように窓５６に隣接した切り取り部５７を備えている。
【００３２】
フレーム１８は、第１の電気ハウジング６６を備えている。第１の電気ハウジング６６は、電源コード７０によって電源に接続される第１の電気接点を備えている。容器１６は、概ね注ぎ口４２とは反対側の容器１６に設けられた第２の電気ハウジング６２を備えている。第２の電気ハウジング６２は、容器内の水を加熱するための内部要素６０（図４に示されている）に接続された第２の電気接点を備えている。
【００３３】
第１の電気ハウジング６６は、容器１６がフレーム１８内に収容されたときに第２の電気ハウジング６２の開口６３内に収容されるように構成された突出部６７を備えている。第１の電気ハウジング６６の突出部６７が、第２の電気ハウジング６２の開口６３内に収容されると、第１の電気接点が第２の電気接点に接続される。従って、容器１６をフレーム１８に配置すると、電気が接続されて加熱要素６０に電力が供給される。
【００３４】
使用する際は、フレーム１８から容器１６を持ち上げて通常の方法で容器１６を満たして、ケトル１０を満たすことができる。容器１６をフレーム１８に戻して、容器１６内の水を要素６０によって加熱することができる。水が沸騰したら、注ぎ口４２の下の基部１２に沿ってカップを配置してカップに熱湯を注ぐことができる。次いで、容器１６およびフレーム１８を回転軸５０を中心に回動させて、注ぎ口４２をカップに向かって下方に移動させる（図２に示されている）。次いで、熱湯を注ぎ口４２からカップに注ぐことができる。
【００３５】
当業者であれば、本発明の基本的な発明の概念から逸脱することなく、既に説明した実施形態に加えて、前述の実施形態に様々な変更および改良を行うことができることは明白であろう。
【図１】
2014525294.tif 000003
【図２】
2014525294.tif 000004
【図３】
2014525294.tif 000005
【図４】
2014525294.tif 000006
【図５】
2014525294.tif 000007
【図６】
2014525294.tif 000008
【図７ａ】
2014525294.tif 000009
【図７ｂ】
2014525294.tif 000010
【図８ａ】
2014525294.tif 000011
【図８ｂ】
2014525294.tif 000012
【国際調査報告】
2014525294.tif 000013
2014525294.tif 000014
2014525294.tif 000015